【手続補正書】
【提出日】平成19年2月6日(2007.2.6)
【手続補正１】
【補正対象書類名】特許請求の範囲
【補正対象項目名】全文
【補正方法】変更
【補正の内容】
【特許請求の範囲】
【請求項１】
近位端および遠位端と、縦軸と、外側シャフトの縦軸に沿った内腔とを有する管状の外側シャフトと、
欠損に挿入するのに好適な遠位端および近位端を有する内側シャフトと、を備えた硬骨または軟骨のインプラント送出装置であって、該内側シャフトと外側シャフトとがスライド可能に係合するように、該内側シャフトが、該外側シャフトの該内腔内にはまるように適合される、装置。
【請求項２】
１つ以上の前記シャフトが、前記内側シャフトが前記外側シャフトを通過する動作を摩擦により阻害する手段を備えた、請求項１に記載の装置。
【請求項３】
前記外側シャフトの前記遠位端内に配置されるインプラントをも備えた、請求項１に記載の装置。
【請求項４】
前記内側シャフトがその中心部を貫くカニューレを有する、請求項１に記載の装置。
【請求項５】
前記インプラントが見えるように、前記外側シャフトの前記遠位端に少なくとも１つのスロットをも備えた、請求項３に記載の装置。
【請求項６】
前記外側シャフトの前記遠位端が先細りするリーフを備えた、請求項１に記載の装置。
【請求項７】
前記外側シャフトの前記遠位端上に配置されるスナップ−ビード溝部を更に備えた、請求項１に記載の装置。
【請求項８】
前記外側シャフトおよび前記内側シャフトの前記近位端および前記遠位端上に、滑らかで丸くなった表面を更に備えた、請求項１に記載の装置。
【請求項９】
前記外側シャフトの内面の一部分が鋸歯状歯部を有し、これが前記内側シャフトの外面の対応する一部分上に位置する鋸歯状歯部と摩擦的に係合し得る、請求項１に記載の装置。
【請求項１０】
前記外側シャフトの内面の一部分が、その上に配置されるビードを有し、前記内側シャフトの外面の対応する一部分が、その上に配置される隆起部を有することによって、該内側シャフトが該外側シャフトを通過して遠位方向または近位方向に動かされる際、該ビードが該隆起部と摩擦によって係合する、請求項１に記載の装置。
【請求項１１】
請求項１に記載のインプラント送出装置内に配置されるインプラントの突出端部を切断するためのインプラント切断装置であって、該インプラントの該突出端部を受けるためにそこに貫かれた垂直穴を有する基部を備えた、インプラント切断装置。
【請求項１２】
前記インプラントの前記突出端部を受けるために適合された前記垂直穴が、前記シャフトの外径よりもわずかに大きな上部直径と、前記シャフトの外径よりも小さな下部直径と、を有する、請求項１１に記載のインプラント切断装置。
【請求項１３】
少なくとも１つの切断刃を受けるための手段をも備えた、請求項１１に記載のインプラント切断装置。
【請求項１４】
少なくとも１つの切断刃を受けるための前記手段内をスライドし、かつ前記インプラントの前記突出端部を切断するように適合された少なくとも１つの切断刃をも備えた、請求項１１に記載のインプラント切断装置。
【請求項１５】
前記上部直径が前記下部直径と交わる地点において、前記少なくとも１つの切断刃が前記垂直穴と交差する、請求項１４に記載のインプラント切断装置。
【請求項１６】
請求項１に記載のインプラント送出装置の前記外側シャフト内にインプラントを挿入するためのインプラントカプセル装填機であって、前端部と、貫かれた開口部を有する後端部と、を有し、かつ該外側シャフトの前記遠位端内にはまるように適合された中空管を備えた、カプセル装填機。
【請求項１７】
前記中空管内に配置されて、該管の前記後端部の前記開口部を覆う背板を備えた、請求項１６に記載のカプセル装填機。
【請求項１８】
前記中空管の外面に沿って配置され、前記中空管の前記前端部において固定され、かつ前記中空管の前記後端部に向かって自由端を有する少なくとも１つの可撓性リーフレットをも備えた請求項１６に記載のカプセル装填機であって、該可撓性リーフレットが、該自由端において、外側に向かって伸びるプロングを有し、該プロングは、前記外側シャフトの穴の中にはまるように適合される、カプセル装填機。
【請求項１９】
複数の可撓性リーフレットを備えた、請求項１８に記載のカプセル装填機。
【請求項２０】
その中に配置されるインプラントを備えた、請求項１６に記載のカプセル装填機。
【請求項２１】
中空の外側シャフトと、その中を動作可能に配置された内側シャフトと、を備えたインプラント送出装置と、
該外側シャフトから突出したインプラントを受けるための手段と、該突出部分を切断するための切断刃と、を有するインプラント切断装置と、を備えた、インプラント送出システム。
【請求項２２】
インプラントを有し、かつ前記中空のシャフトの端部にはまって取り付けられるように適合された中空管を有するインプラントカプセル装填機をも備えた、請求項２１に記載のインプラント送出システム。
【請求項２３】
インプラントをも備えた、請求項２２に記載のインプラント送出システム。
【請求項２４】
請求項１に記載のインプラント送出装置を使用して、深さが測定されていない組織内の欠損に硬骨または軟骨のインプラントを送出するためのシステムであって、
該インプラントが該搭載装置内に配置されている際は、前記内側シャフトの前記近位端が前記外側シャフトの前記近位端から突出し、前記インプラントの長さが、該内側シャフトの突出部分の長さと等しいように、該搭載装置の前記遠位端に該インプラントを挿入するために構成された、インプラントと、
該内側シャフトの該近位端が該欠損の底部に接触するまで、該近位端を該欠損内に挿入するために構成された該内側シャフトと、
該外側シャフトの該近位端が、該欠損を取り囲む組織の表面に接触するまで、近位方向に前進させるために構成され、それにより該インプラントの一部が該外側シャフトの該遠位端を超えて伸びるようにされた該外側シャフトと、
該外側シャフトの該遠位端を超えて突出した該インプラントの一部を切断し、残りの部分を該外側シャフト内に配置させておき、該搭載装置の該遠位端を、該欠損を覆うように配置するためにさらに構成され、該内側シャフトを遠位方向に前進させて、切断後に残った該インプラントの一部を該欠損内に押し出すためにさらに構成された手段と、
を備えた、システム。
【請求項２５】
前記外側シャフトの前記遠位端を超えて突出した前記インプラントの一部が切断された後に、該外側シャフトの該遠位端を取り囲んで配置するために構成されたキャップと、該外側シャフトの該遠位端に生体活性液体を加えるための手段を更に備えた、請求項２４に記載のシステム。
【請求項２６】
少なくとも１つの硬骨または軟骨のインプラント送出装置を備えたキットであって、該インプラント送出装置が、
近位端および遠位端と、縦軸と、外側シャフトの縦軸に沿った内腔とを有する管状の外側シャフトと、
欠損に挿入するのに好適な遠位端および近位端を有する内側シャフトと、を備え、該内側シャフトと外側シャフトとがスライド可能に係合するように、該内側シャフトが、該外側シャフトの該内腔内にはまるように適合される、キット。
【請求項２７】
インプラントを更に備えた、請求項２６に記載のキット。
【請求項２８】
ナイフを更に備えた、請求項２６に記載のキット。
【請求項２９】
各々が異なる大きさの内腔および内側シャフトを有する複数の硬骨または軟骨のインプラント送出装置を備えた、請求項２６に記載のキット。